(57)【要約】      （修正有）【課題】複数枚の同一形状のうちわを原反板から型抜きするとき、原反板の材料のむだをなくし、その材料使用効率を向上させたうちわを提供する。【解決手段】うちわ１０であって、複数枚の同一形状の上記うちわ１０を横置きして順に並べる。さらに、相隣るうちわ１０の横置きの向きがそれらのうちわ板部と補強板部とを互い違いの逆向きとする並び置き状態で、相隣るうちわ１０の第１側縁部同士が互いに隙間なく接し、相隣るうちわ１０の第２側縁部同士がそれらのうちわ板部と補強板部をそれらの並び置き方向で挟んでなす間隔を該第２側縁部の全域で同一にしてなるもの。【選択図】図２
0003169973.tif 000002
【実用新案登録請求の範囲】
【請求項１】
うちわ板部に折部を介して補強板部を該うちわ板部に折重ね可能に連設し、うちわ板部と補強板部にそれらを折重ねたときに合致する握り孔を形成可能にしてなるうちわであって、
うちわのうちわ板部と補強板部を折重ねていない展開状態で、うちわ板部と補強板部の握り孔を挟む両側の側縁部を第１側縁部と第２側縁部とし、
複数枚の同一形状の上記うちわを横置きして順に並べ、相隣るうちわの横置きの向きがそれらのうちわ板部と補強板部とを互い違いの逆向きとする並び置き状態で、相隣るうちわの第１側縁部同士が互いに隙間なく接し、相隣るうちわの第２側縁部同士がそれらのうちわ板部と補強板部をそれらの並び置き方向で挟んでなす間隔を該第２側縁部の全域で同一にしてなるうちわ。
【請求項２】
うちわ板部に握り孔を形成可能にしてなるうちわであって、
うちわ板部の握り孔を挟む両側の側縁部を第１側縁部と第２側縁部とし、
複数枚の同一形状の上記うちわを横置きして順に並べ、相隣るうちわの横置きの向きがそれらのうちわ板部を互い違いの逆向きとする並び置き状態で、相隣るうちわの第１側縁部同士が互いに隙間なく接し、相隣るうちわの第２側縁部同士がそれらのうちわ板部をそれらの並び置き方向で挟んでなす間隔を該第２側縁部の全域で同一にしてなるうちわ。
【請求項３】
前記複数枚のうちわが原反板から型抜きされ、各うちわの原反板における型抜き跡が前記並び置き状態をなす請求項１又は２に記載のうちわ。
【請求項４】
前記うちわのうちわ板部と補強板部に形成される握り孔が、該握り孔に差し込まれる使用者の手の親指以外の複数の指の遠位指節間関節に沿う湾曲長孔状をなす請求項１又は３に記載のうちわ。
【請求項５】
前記うちわのうちわ板部に形成される握り孔が、該握り孔に差し込まれる使用者の手の親指以外の複数の指の遠位指節間関節に沿う湾曲長孔状をなす請求項２又は３に記載のうちわ。
【請求項６】
前記うちわのうちわ板部と補強板部から打抜かれて握り孔を形成する打抜き片がカードとして利用される請求項１、３、４のいずれかに記載のうちわ。
【請求項７】
前記うちわのうちわ板部から打抜かれて握り孔を形成する打抜き片がカードとして利用される請求項２、３、５のいずれかに記載のうちわ。
【考案の詳細な説明】
【技術分野】
【０００１】
本考案は、うちわに関する。
【背景技術】
【０００２】
従来、うちわとして、特許文献１に記載の如く、うちわ板部に折部を介して補強板部を該うちわ板部に折重ね可能に連設し、うちわ板部と補強板部にそれらを折重ねたときに合致する小孔を形成可能にしてなるものがある。
【０００３】
うちわ板部と補強板部を折重ねた上で接着し、その折重ね部を使用者の手指による握り部とし、うちわ板部を扇ぎ使用するものである。
【０００４】
うちわ板部と補強板部の折重ね部に設けられている小孔は、不使用時のうちわの壁等への吊り掛け用として用いるものとされている。
【先行技術文献】
【特許文献】
【０００５】
【特許文献１】実公昭54-2219
【考案の概要】
【考案が解決しようとする課題】
【０００６】
特許文献１に記載のうちわの量産時には、厚紙、段ボール紙、合成樹脂板等の原反板から複数枚のうちわを型抜きすることになる。
【０００７】
しかしながら、従来技術では、複数枚の同一形状のうちわを原反板から型抜きするとき、相隣るうちわの側縁部同士の間に隙間を介するものになっていて、この隙間が原反板の材料のむだになる。
【０００８】
本考案の課題は、複数枚の同一形状のうちわを原反板から型抜きするとき、原反板の材料のむだをなくし、その材料使用効率を向上することにある。
【課題を解決するための手段】
【０００９】
請求項１に係る考案は、うちわ板部に折部を介して補強板部を該うちわ板部に折重ね可能に連設し、うちわ板部と補強板部にそれらを折重ねたときに合致する握り孔を形成可能にしてなるうちわであって、うちわのうちわ板部と補強板部を折重ねていない展開状態で、うちわ板部と補強板部の握り孔を挟む両側の側縁部を第１側縁部と第２側縁部とし、複数枚の同一形状の上記うちわを横置きして順に並べ、相隣るうちわの横置きの向きがそれらのうちわ板部と補強板部とを互い違いの逆向きとする並び置き状態で、相隣るうちわの第１側縁部同士が互いに隙間なく接し、相隣るうちわの第２側縁部同士がそれらのうちわ板部と補強板部をそれらの並び置き方向で挟んでなす間隔を該第２側縁部の全域で同一にしてなるようにしたものである。
【００１０】
請求項２に係る考案は、うちわ板部に握り孔を形成可能にしてなるうちわであって、うちわ板部の握り孔を挟む両側の側縁部を第１側縁部と第２側縁部とし、複数枚の同一形状の上記うちわを横置きして順に並べ、相隣るうちわの横置きの向きがそれらのうちわ板部を互い違いの逆向きとする並び置き状態で、相隣るうちわの第１側縁部同士が互いに隙間なく接し、相隣るうちわの第２側縁部同士がそれらのうちわ板部をそれらの並び置き方向で挟んでなす間隔を該第２側縁部の全域で同一にしてなるようにしたものである。
【００１１】
請求項３に係る考案は、請求項１又は２に係る考案において更に、前記複数枚のうちわが原反板から型抜きされ、各うちわの原反板における型抜き跡が前記並び置き状態をなすようにしたものである。
【００１２】
請求項４に係る考案は、請求項１又は３に係る考案において更に、前記うちわのうちわ板部と補強板部に形成される握り孔が、該握り孔に差し込まれる使用者の手の親指以外の複数の指の遠位指節間関節に沿う湾曲長孔状をなすようにしたものである。
【００１３】
請求項５に係る考案は、請求項２又は３に係る考案において更に、前記うちわのうちわ板部に形成される握り孔が、該握り孔に差し込まれる使用者の手の親指以外の複数の指の遠位指節間関節に沿う湾曲長孔状をなすようにしたものである。
【００１４】
請求項６に係る考案は、請求項１、３、４のいずれかに係る考案において更に、前記うちわのうちわ板部と補強板部から打抜かれて握り孔を形成する打抜き片がカードとして利用されるようにしたものである。
【００１５】
請求項７に係る考案は、請求項２、３、５のいずれかに係る考案において更に、前記うちわのうちわ板部から打抜かれて握り孔を形成する打抜き片がカードとして利用されるようにしたものである。
【考案の効果】
【００１６】
（請求項１、３、４、６）
(a)複数枚の同一形状のうちわを原反板から型抜きするとき、各うちわのうちわ板部と補強板部を折重ねていない展開状態とし、相隣るうちわの横置きの向きがそれらのうちわ板部と補強板部とを互い違いの逆向きとする並び置き状態で、相隣るうちわの第１側縁部同士が互いに隙間なく接し、相隣るうちわの第２側縁部同士がそれらのうちわ板部と補強板部をそれらの並び置き方向で挟んでなす間隔を該第２側縁部の全域で同一にする。
【００１７】
これにより、各うちわのうちわ板部と補強板部が、原反板における各うちわの並び置き方向で、相隣る他のうちわのうちわ板部と補強板部に隙間を介することなく接して、互いに連続配置されるものになる。これにより、原反板の長さ方向（原反板における各うちわの並び置き方向に沿う方向）における材料のむだをなくし、その材料使用効率を向上するものになる。
【００１８】
尚、各うちわの第１側縁部と第２側縁部に交差する、うちわ板部の先端部と補強板部の先端部を、原反板における各うちわの並び置き方向に平行する直線状とするときには、原反板の幅方向（原反板における各うちわの並び置き方向に直交する方向）における材料のむだもなくなり、その材料使用効率を一層向上するものになる。
【００１９】
(b)うちわは、うちわ板部と補強板部を折部まわりで折重ねた上で接着し、その折重ね部で合致する握り孔と折部で挟まれる部分を握り部とし、該握り孔に使用者の手の親指以外の複数の指を差し込み、それらの指の遠位指節間関節と手の平との間で握り部を握り、うちわ板部を扇ぎ使用するものになる。
【００２０】
このとき、うちわの握り孔が、該握り孔に差し込まれる使用者の手の親指以外の複数の指の遠位指節間関節に沿う湾曲長孔状をなすものとされているから、握り部の握り操作性を向上し、うちわの扇ぎ使用性が向上する。
【００２１】
尚、うちわの握り部が補強板部により簡易に補強されるものになり、その耐久強度を向上し、繰り返し使用性が向上する。
【００２２】
(c)うちわのうちわ板部と補強板部から打抜かれて握り孔を形成する打抜き片がカードとして利用される。打抜き片を単なる廃棄物とすることなく、抽選券、参加券等として活用できる。
【００２３】
（請求項２、３、５、７）
(d)複数枚の同一形状のうちわを原反板から型抜きするとき、相隣るうちわの横置きの向きがそれらのうちわ板部を互い違いの逆向きとする並び置き状態で、相隣るうちわの第１側縁部同士が互いに隙間なく接し、相隣るうちわの第２側縁部同士がそれらのうちわ板部をそれらの並び置き方向で挟んでなす間隔を該第２側縁部の全域で同一にする。
【００２４】
これにより、各うちわのうちわ板部が、原反板における各うちわの並び置き方向で、相隣る他のうちわのうちわ板部に隙間を介することなく接して、互いに連続配置されるものになる。これにより、原反板の長さ方向（原反板における各うちわの並び置き方向に沿う方向）における材料のむだをなくし、その材料使用効率を向上するものになる。
【００２５】
尚、各うちわの第１側縁部と第２側縁部に交差する、うちわ板部の先端部と基端部を、原反板における各うちわの並び置き方向に平行する直線状とするときには、原反板の幅方向（原反板における各うちわの並び置き方向に直交する方向）における材料のむだもなくなり、その材料使用効率を一層向上するものになる。
【００２６】
(e)うちわは、うちわ板部の握り孔と基端部で挟まれる部分を握り部とし、該握り孔に使用者の手の親指以外の複数の指を差し込み、それらの指の遠位指節間関節と手の平との間で握り部を握り、うちわ板部を扇ぎ使用するものになる。
【００２７】
このとき、うちわの握り孔が、該握り孔に差し込まれる使用者の手の親指以外の複数の指の遠位指節間関節に沿う湾曲長孔状をなすものとされているから、握り部の握り操作性を向上し、うちわの扇ぎ使用性が向上する。
【００２８】
(f)うちわのうちわ板部から打抜かれて握り孔を形成する打抜き片がカードとして利用される。打抜き片を単なる廃棄物とすることなく、抽選券、参加券等として活用できる。
【図面の簡単な説明】
【００２９】
【図１】図１は実施例１のうちわを示す正面図である。
【図２】図２はうちわを型取りしたロール状原反板を示す模式図である。
【図３】図３は図２の要部拡大図である。
【図４】図４は実施例２のうちわを示す正面図である。
【図５】図５はうちわを型取りしたロール状原反板を示す模式図である。
【考案を実施するための形態】
【００３０】
（実施例１）（図１〜図３）
図１に示したうちわ１０は、厚紙、段ボール紙、合成樹脂板等からなり、うちわ板部１１に折部１３を介して補強板部１２を該うちわ板部１１に折重ね可能に連設し、うちわ板部１１と補強板部１２にそれらを折重ねたときに合致する握り孔１１Ａ、１２Ａを形成可能にしている。
【００３１】
うちわ１０は、図１（Ａ）に示した展開状態のうちわ板部１１と補強板部１２を折部１３を介して折重ね、折重ねたうちわ板部１１と補強板部１２を接着した折重ね部とし、その折重ね部で図１（Ｂ）に示す如くに合致する握り孔１１Ａ、１２Ａと折部１３で挟まれる部分を握り部１０Ａとする。
【００３２】
使用者は、うちわ板部１１と補強板部１２の折重ね部の握り孔１１Ａ、１２Ａに手の親指以外の４指、又は親指と小指以外の３指を差し込み、それらの指の遠位指節間関節と手の平との間で握り部１０Ａを握り、うちわ板部１１を扇ぎ使用する。
【００３３】
しかるに、うちわ１０は、うちわ板部１１と補強板部１２を折重ねていない展開状態で、うちわ板部１１と補強板部１２の握り孔１１Ａ、１２Ａを挟む両側の側縁部を第１側縁部Ａ1と第２側縁部Ａ2とする。
【００３４】
尚、うちわ１０は、図１に示す如く、うちわ板部１１及び補強板部１２の形状を中心軸Ｃに関して線対称形状としている。但し、うちわ１０は、中心軸Ｃに関して非対象形状をなすものでも良い。
【００３５】
また、複数枚の同一形状のうちわ１０を横置きして（うちわ１０の中心軸Ｃをそれらの並び置き方向に直交する横向きに置く）順に並べ、相隣るうちわ１０の横置きの向きがそれらのうちわ板部１１と補強板部１２とを互い違いの逆向きとする（一方のうちわ１０のうちわ板部１１の先端部１１Ｆを他方のうちわ１０のうちわ板部１１の先端部１１Ｆに対する反対側に置き、一方のうちわ１０の補強板部１２の先端部１２Ｆを他方のうちわ１０の補強板部１２の先端部１２Ｆに対する反対側に置く）並び置き状態で、図２、図３に示す如く、相隣るうちわ１０の第１側縁部Ａ1、Ａ1同士が互いに隙間なく接し、相隣るうちわ１０の第２側縁部Ａ2、Ａ2同士がそれらのうちわ板部１１と補強板部１２をそれらの並び置き方向で挟んでなす間隔Ｌiを該第２側縁部Ａ2、Ａ2の全域で同一にしている（Ｌ1＝Ｌ2＝…＝Ｌn）。
【００３６】
尚、うちわ１０は、図１に示す如く、うちわ板部１１の先端部１１Ｆと補強板部１２の先端部１２Ｆを、中心軸Ｃに対して直交する直線状にしている。
【００３７】
そして、うちわ１０の生産時に、複数枚のうちわ１０を図２、図３に示したロール状原反板１から型抜きするとき、各うちわ１０の原反板１における型抜き跡が原反板１の長さ方向（原反板１における各うちわ１０の並び置き方向に沿う方向）で上述の各うちわ１０の並び置き状態をなすものとされている。
【００３８】
更に、本実施例では、うちわ１０の生産時に、各うちわ１０の原反板１における型抜き後が、原反板１の長さ方向で上述の各うちわ１０の並び置き状態をなすだけでなく、原反板１の幅方向（原反板１における各うちわ１０の並び置き方向に直交する方向）でも複数枚（図２では４枚）のうちわ１０が隣接配置され、当該原反板１の幅方向で相隣るうちわ１０におけるうちわ板部１１の先端部１１Ｆ同士、及び相隣るうちわ１０における補強板部１２の先端部１２Ｆ同士が互いに隙間なく接する並び置き状態をなすものとされている。
【００３９】
即ち、原反板１を上下の打抜き型により型抜きして複数枚のうちわ１０を生産するとき、上下の打抜き型の型形状を上述の各うちわ１０の並び置き状態に合致して対応するものにする。
【００４０】
また、うちわ１０のうちわ板部１１と補強板部１２に形成される握り孔１１Ａと握り孔１２Ａは、それらの握り孔１１Ａ、１２Ａに差し込まれる使用者の手の前述した複数の指の遠位指節間関節に沿う湾曲長孔状（長孔円弧状）をなすものにする。握り孔１１Ａと握り孔１２Ａは折部１３に関して線対称形状をなす。
【００４１】
また、うちわ１０のうちわ板部１１と補強板部１２から打抜かれて握り孔１１Ａと握り孔１２Ａを形成する打抜き片１１Ｂ、１２Ｂは、抽選券、参加券等として活用されるカードとして利用される。
【００４２】
本実施例によれば以下の作用効果を奏する。
(a)複数枚の同一形状のうちわ１０を原反板１から型抜きするとき、各うちわ１０のうちわ板部１１と補強板部１２を折重ねていない展開状態とし、相隣るうちわ１０の横置きの向きがそれらのうちわ板部１１と補強板部１２とを互い違いの逆向きとする並び置き状態で、相隣るうちわ１０の第１側縁部Ａ1同士が互いに隙間なく接し、相隣るうちわ１０の第２側縁部Ａ2同士がそれらのうちわ板部１１と補強板部１２をそれらの並び置き方向で挟んでなす間隔Ｌiを該第２側縁部Ａ2の全域で同一にする。
【００４３】
これにより、各うちわ１０のうちわ板部１１と補強板部１２が、原反板１における各うちわ１０の並び置き方向で、相隣る他のうちわ１０のうちわ板部１１と補強板部１２に隙間を介することなく接して、互いに連続配置されるものになる。これにより、原反板１の長さ方向（原反板１における各うちわ１０の並び置き方向に沿う方向）における材料のむだをなくし、その材料使用効率を向上するものになる。
【００４４】
尚、各うちわ１０の第１側縁部Ａ1と第２側縁部Ａ2に交差する、うちわ板部１１の先端部１１Ｆと補強板部１２の先端部１２Ｆを、原反板１における各うちわ１０の並び置き方向に平行する直線状とするときには、原反板１の幅方向（原反板１における各うちわ１０の並び置き方向に直交する方向）における材料のむだもなくなり、その材料使用効率を一層向上するものになる。
【００４５】
(b)うちわ１０は、うちわ板部１１と補強板部１２を折部１３まわりで折重ねた上で接着し、その折重ね部で合致する握り孔１１Ａ、１２Ａと折部１３で挟まれる部分を握り部１０Ａとし、該握り孔１１Ａ、１２Ａに使用者の手の親指以外の複数の指を差し込み、それらの指の遠位指節間関節と手の平との間で握り部１０Ａを握り、うちわ板部１１を扇ぎ使用するものになる。
【００４６】
このとき、うちわ１０の握り孔１１Ａ、１２Ａが、該握り孔１１Ａ、１２Ａに差し込まれる使用者の手の親指以外の複数の指の遠位指節間関節に沿う湾曲長孔状をなすものとされているから、握り部１０Ａの握り操作性を向上し、うちわ１０の扇ぎ使用性が向上する。
【００４７】
尚、うちわ１０の握り部１０Ａが補強板部１２により簡易に補強されるものになり、その耐久強度を向上し、繰り返し使用性が向上する。
【００４８】
(c)うちわ１０のうちわ板部１１と補強板部１２から打抜かれて握り孔１１Ａ、１２Ａを形成する打抜き片１１Ｂ、１２Ｂがカードとして利用される。打抜き片１１Ｂ、１２Ｂを単なる廃棄物とすることなく、抽選券、参加券等として活用できる。
【００４９】
（実施例２）（図４、図５）
図４に示したうちわ２０が、前述のうちわ１０と異なる点は、うちわ１０における側板部１２、折部１３を撤去し、うちわ１０におけるうちわ板部１１だけからなるものにしたことにある。
【００５０】
即ち、うちわ２０は、うちわ板部１１に握り孔１１Ａを形成可能にしてなり、うちわ板部１１の握り孔１１Ａと基端部１１Ｅで挟まれる部分を握り部２０Ａとする。使用者は、うちわ板部１１の握り孔１１Ａに手の親指以外の４指、又は親指と小指以外の３指を差し込み、それらの指の遠位指節間関節と手の平との間で握り部２０Ａを握り、うちわ板部１１を扇ぎ使用する。
【００５１】
また、うちわ２０は、うちわ板部１１の握り孔１１Ａを挟む両側の側縁部を第１側縁部Ａ1と第２側縁部Ａ2とし、複数枚の同一形状の上記うちわ２０を図５に示す如くに横置きして順に並べ、相隣るうちわ２０の横置きの向きがそれらのうちわ板部１１を互い違いの逆向きとする並び置き状態で、相隣るうちわ２０の第１側縁部Ａ1、Ａ1同士が互いに隙間なく接し、相隣るうちわ２０の第２側縁部Ａ2、Ａ2同士がそれらのうちわ板部１１をそれらの並び置き方向で挟んでなす間隔Ｌiを該第２側縁部Ａ2、Ａ2の全域で同一にしている（Ｌ1＝Ｌ2＝…＝Ｌn）。
【００５２】
尚、うちわ２０は、図４に示す如く、うちわ板部１１の先端部１１Ｆと基端部１１Ｅを、中心軸Ｃに対して直交する直線状にしている。
【００５３】
そして、うちわ２０の生産時に、複数枚のうちわ２０を図５に示したロール状原反板１から型抜きするとき、各うちわ２０の原反板１における型抜き跡が原反板１の長手方向で上述の各うちわ２０の並び置き状態をなすものとされている。
【００５４】
更に、本実施例では、うちわ２０の生産時に、各うちわ２０の原反板１における型抜き後が、原反板１の長さ方向で上述の各うちわ２０の並び置き状態をなすだけでなく、原反板１の幅方向でも複数枚（図５では４枚）のうちわ２０が隣接配置され、当該原反板１の幅方向で相隣るうちわ２０におけるうちわ板部１１の先端部１１Ｆ同士、及び基端部１１Ｅ同士が互いに隙間なく接する並び置き状態をなすものとされている。
【００５５】
即ち、原反板１を上下の打抜き型により型抜きして複数枚のうちわ２０を生産するとき、上下の打抜き型の型形状を上述の各うちわ２０の並び置き状態に合致して対応するものにする。
【００５６】
また、うちわ２０のうちわ板部１１に形成される握り孔１１Ａが、該握り孔１１Ａに差し込まれる使用者の手の前述した複数の指の遠位指節間関節に沿う湾曲長孔状（長孔円弧状）をなすものにする。
【００５７】
また、うちわ２０のうちわ板部１１から打抜かれて握り孔１１Ａを形成する打抜き片１１Ｂが、抽選券、参加券等として活用されるカードとして利用される。
【００５８】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００５９】
本考案は、うちわ板部に折部を介して補強板部を該うちわ板部に折重ね可能に連設し、うちわ板部と補強板部にそれらを折重ねたときに合致する握り孔を形成可能にしてなるうちわであって、うちわのうちわ板部と補強板部を折重ねていない展開状態で、うちわ板部と補強板部の握り孔を挟む両側の側縁部を第１側縁部と第２側縁部とし、複数枚の同一形状の上記うちわを横置きして順に並べ、相隣るうちわの横置きの向きがそれらのうちわ板部と補強板部とを互い違いの逆向きとする並び置き状態で、相隣るうちわの第１側縁部同士が互いに隙間なく接し、相隣るうちわの第２側縁部同士がそれらのうちわ板部と補強板部をそれらの並び置き方向で挟んでなす間隔を該第２側縁部の全域で同一にした。これにより、複数枚の同一形状のうちわを原反板から型抜きするとき、原反板の材料のむだをなくし、その材料使用効率を向上することができる。
【符号の説明】
【００６０】
１  原反板
１０、２０  うちわ
１０Ａ  握り部
１１  うちわ板部
１１Ａ  握り孔
１１Ｂ  打抜き片
１２  補強板部
１２Ａ  握り孔
１２Ｂ  打抜き片
１３  折部
【図１】
0003169973.tif 000003
【図２】
0003169973.tif 000004
【図３】
0003169973.tif 000005
【図４】
0003169973.tif 000006
【図５】
0003169973.tif 000007